(57)【特許請求の範囲】
【請求項１】
コンピュータに、
ユーザのクレジットカードに係る決済情報であって、ユーザが購入した商品若しくはサービスの名称、又はクレジットカードを利用した加盟店の名称を含む前記決済情報を取得し、
前記商品、サービス、又は加盟店の名称をＷｅｂ検索エンジンに入力して検索を実行させることで、前記決済情報と関連した関連情報を、インターネットを介して収集し、
前記決済情報及び関連情報に基づき、ソーシャルネットワークに投稿する投稿情報を生成し、
生成した前記投稿情報をソーシャルネットワーク上に出力した後に、前記投稿情報に対する他のユーザからの返信情報を取得し、
取得した前記返信情報を、前記投稿情報又は決済情報と共に表示部に表示する
処理を実行させることを特徴とするプログラム。
【請求項２】
前記投稿情報は、入力部を介して入力された前記決済情報に対するコメント又は画像を含み、
前記返信情報は、前記投稿情報に対して他のユーザから投稿されたコメント又は画像を含む
ことを特徴とする請求項１に記載のプログラム。
【請求項３】
前記返信情報は、前記投稿情報に対する他のユーザからの評価情報を含む
ことを特徴とする請求項１又は請求項２に記載のプログラム。
【請求項４】
前記決済情報と類似性を有する決済情報に係る他のユーザの情報を検索する処理を、前記決済情報を記憶した情報処理装置に要求し、
前記情報処理装置から検索結果を取得し、
取得した前記検索結果を、前記投稿情報と共に前記表示部に表示する
ことを特徴とする請求項１〜請求項３のいずれか１項に記載のプログラム。
【請求項５】
前記決済情報に係る商品又はサービスと類似する商品又はサービスを提供するクレジットカードの加盟店の広告情報を取得し、
取得した前記広告情報を、前記投稿情報と共に前記表示部に表示する
ことを特徴とする請求項１〜請求項４のいずれか１項に記載のプログラム。
【請求項６】
コンピュータを用いた情報処理方法であって、
ユーザのクレジットカードに係る決済情報であって、ユーザが購入した商品若しくはサービスの名称、又はクレジットカードを利用した加盟店の名称を含む前記決済情報を取得し、
前記商品、サービス、又は加盟店の名称をＷｅｂ検索エンジンに入力して検索を実行させることで、前記決済情報と関連した関連情報を、インターネットを介して収集し、
前記決済情報及び関連情報に基づき、ソーシャルネットワークに投稿する投稿情報を生成し、
生成した前記投稿情報をソーシャルネットワーク上に出力し、
前記投稿情報に対する他のユーザからの返信情報を取得し、
取得した前記返信情報を、前記投稿情報と共に表示部に表示する
処理を実行させることを特徴とする情報処理方法。
【請求項７】
ユーザのクレジットカードに係る決済情報であって、ユーザが購入した商品若しくはサービスの名称、又はクレジットカードを利用した加盟店の名称を含む前記決済情報を記憶する記憶部と、
ユーザの情報処理端末から、該情報処理端末がソーシャルネットワークに投稿する投稿情報の送信要求を受信する受信部と、
該受信部が前記送信要求を受信した場合に、前記商品、サービス、又は加盟店の名称をＷｅｂ検索エンジンに入力して検索を実行させることで、前記決済情報と関連した関連情報を、インターネットを介して収集する収集部と、
前記決済情報及び関連情報に基づき、前記投稿情報を生成する生成部と、
該生成部が生成した前記投稿情報を前記情報処理端末に送信する送信部と、
前記情報処理端末がソーシャルネットワーク上に出力した前記投稿情報に対する他のユーザからの返信情報を取得する取得部と
を備え、
前記記憶部は、前記投稿情報及び返信情報を前記決済情報と対応付けて記憶する
ことを特徴とする情報処理装置。
【発明の詳細な説明】
【技術分野】
【０００１】
本発明は、プログラム、情報処理方法及び情報処理装置に関する。
【背景技術】
【０００２】
複数のユーザがネットワーク上のコミュニティーにおいて交流を行うＳＮＳ（Social Networking Service）が発達している。ＳＮＳの発達に伴い、ＳＮＳを利用した様々な技術が開発されている。
【０００３】
特許文献１では、ＳＮＳを介してユーザの購買活動を促進可能な購買行動促進装置等が開示されている。特許文献１によれば、購買行動促進装置はユーザと特定の関係がある他のユーザがＳＮＳに投稿した商品又はサービスに関する投稿情報を、当該商品又はサービスを購入した店舗等の位置情報と対応付けて記憶し、当該投稿情報及び位置情報をユーザが所持するスマートフォン等の端末装置に送信する。ユーザの端末装置は、地図画像上に店舗等の位置を表示すると共に、他のユーザが投稿した投稿情報を併せて表示する。
【先行技術文献】
【特許文献】
【０００４】
【特許文献１】特開２０１４−１４２８３７号公報
【発明の概要】
【発明が解決しようとする課題】
【０００５】
しかしながら、特許文献１ではＳＮＳへの投稿情報を地図画像にリンクさせて表示するのみで、ユーザの購買活動に係る情報をＳＮＳにおけるユーザ同士のコミュニケーションに利用していない。
【０００６】
本発明は斯かる事情によりなされたものであって、その目的とするところは、クレジットカードの決済情報をＳＮＳでのコミュニケーションツールとして利用可能なプログラム、情報処理方法及び情報処理装置を提供することにある。
【課題を解決するための手段】
【０００７】
本発明に係るプログラムは、コンピュータに、ユーザのクレジットカードに係る決済情報であって、ユーザが購入した商品若しくはサービスの名称、又はクレジットカードを利用した加盟店の名称を含む前記決済情報を取得し、前記商品、サービス、又は加盟店の名称をＷｅｂ検索エンジンに入力して検索を実行させることで、前記決済情報と関連した関連情報を、インターネットを介して収集し、前記決済情報及び関連情報に基づき、ソーシャルネットワークに投稿する投稿情報を生成し、生成した前記投稿情報をソーシャルネットワーク上に出力した後に、前記投稿情報に対する他のユーザからの返信情報を取得し、取得した前記返信情報を、前記投稿情報又は決済情報と共に表示部に表示する処理を実行させることを特徴とする。
【０００８】
本発明に係るプログラムは、前記投稿情報は、入力部を介して入力された前記決済情報に対するコメント又は画像を含み、前記返信情報は、前記投稿情報に対して他のユーザから投稿されたコメント又は画像を含むことを特徴とする。
【０００９】
本発明に係るプログラムは、前記返信情報は、前記投稿情報に対する他のユーザからの評価情報を含むことを特徴とする。
【００１０】
本発明に係るプログラムは、前記決済情報と類似性を有する決済情報に係る他のユーザの情報を検索する処理を、前記決済情報を記憶した情報処理装置に要求し、前記情報処理装置から検索結果を取得し、取得した前記検索結果を、前記投稿情報と共に前記表示部に表示することを特徴とする。
【００１１】
本発明に係るプログラムは、前記決済情報に係る商品又はサービスと類似する商品又はサービスを提供するクレジットカードの加盟店の広告情報を取得し、取得した前記広告情報を、前記投稿情報と共に前記表示部に表示することを特徴とする。
【００１２】
本発明に係る情報処理方法は、コンピュータを用いた情報処理方法であって、ユーザのクレジットカードに係る決済情報であって、ユーザが購入した商品若しくはサービスの名称、又はクレジットカードを利用した加盟店の名称を含む前記決済情報を取得し、前記商品、サービス、又は加盟店の名称をＷｅｂ検索エンジンに入力して検索を実行させることで、前記決済情報と関連した関連情報を、インターネットを介して収集し、前記決済情報及び関連情報に基づき、ソーシャルネットワークに投稿する投稿情報を生成し、生成した前記投稿情報をソーシャルネットワーク上に出力し、前記投稿情報に対する他のユーザからの返信情報を取得し、取得した前記返信情報を、前記投稿情報と共に表示部に表示する処理を実行させることを特徴とする。
【００１３】
本発明に係る情報処理装置は、ユーザのクレジットカードに係る決済情報であって、ユーザが購入した商品若しくはサービスの名称、又はクレジットカードを利用した加盟店の名称を含む前記決済情報を記憶する記憶部と、ユーザの情報処理端末から、該情報処理端末がソーシャルネットワークに投稿する投稿情報の送信要求を受信する受信部と、該受信部が前記送信要求を受信した場合に、前記商品、サービス、又は加盟店の名称をＷｅｂ検索エンジンに入力して検索を実行させることで、前記決済情報と関連した関連情報を、インターネットを介して収集する収集部と、前記決済情報及び関連情報に基づき、前記投稿情報を生成する生成部と、該生成部が生成した前記投稿情報を前記情報処理端末に送信する送信部と、前記情報処理端末がソーシャルネットワーク上に出力した前記投稿情報に対する他のユーザからの返信情報を取得する取得部とを備え、前記記憶部は、前記投稿情報及び返信情報を前記決済情報と対応付けて記憶することを特徴とする。
【発明の効果】
【００１４】
本発明によれば、クレジットカードの決済情報をＳＮＳでのコミュニケーションツールとして利用可能となる。
【図面の簡単な説明】
【００１５】
【図１】情報処理システムの構成例を示す模式図である。
【図２】個人ＤＢのレコードレイアウトの一例を示す説明図である。
【図３】決済ＤＢのレコードレイアウトの一例を示す説明図である。
【図４】選択画面の一例を示す説明図である。
【図５】投稿画面の一例を示す説明図である。
【図６】ＳＮＳ画面の一例を示す説明図である。
【図７】投稿済みの投稿画面の一例を示す説明図である。
【図８】端末の処理手順の一例を示すフローチャートである。
【図９】実施の形態２に係る投稿済みの投稿画面の一例を示す説明図である。
【図１０】実施の形態２に係る投稿済みの投稿画面の他例を示す説明図である。
【図１１】実施の形態２に係る端末の処理手順の一例を示すフローチャートである。
【図１２】実施の形態３に係る情報処理システムの構成例を示す模式図である。
【図１３】実施の形態３に係る広告ＤＢのレコードレイアウトの一例を示す説明図である。
【図１４】実施の形態３に係る投稿済みの投稿画面の一例を示す説明図である。
【図１５】実施の形態３に係る端末の処理手順の一例を示すフローチャートである。
【図１６】実施の形態４に係る情報処理システムの構成例を示す模式図である。
【図１７】実施の形態４に係る投稿ＤＢのレコードレイアウトの一例を示す説明図である。
【図１８】実施の形態４に係るブラウザ画面の一例を示す説明図である。
【図１９】実施の形態４に係るブラウザ画面の一例を示す説明図である。
【図２０】実施の形態４に係るサーバの処理手順の一例を示すフローチャートである。
【発明を実施するための形態】
【００１６】
以下、本発明をその実施の形態を示す図面に基づいて詳述する。
（実施の形態１）
本実施の形態では、ユーザのクレジットカードに係る決済情報を利用してＳＮＳへの投稿を行う情報処理システムを一例に説明を行う。図１は、情報処理システムの構成例を示す模式図である。情報処理システムは、情報処理端末１、情報処理装置２、及びＳＮＳサーバ３、３、３…を含む。各装置はネットワークＮを介して相互に通信接続されている。ネットワークＮは、例えばインターネットである。
【００１７】
情報処理端末１は、各ユーザが所持している情報処理端末である。情報処理端末１は例えば、スマートフォン、パーソナルコンピュータ等である。本実施の形態において情報処理端末１はスマートフォンであるものとし、以下では簡潔のため端末１と読み替える。端末１は、情報処理装置２からユーザのクレジットカードに係る決済情報をダウンロードする。また、端末１はダウンロードした決済情報に基づいてＳＮＳに投稿する投稿情報を生成し、ＳＮＳに投稿する処理を行う。
【００１８】
情報処理装置２は、種々の情報を記憶すると共に、ネットワークＮを介した情報の送受信を行う情報処理装置である。情報処理装置２は、例えばサーバコンピュータ、パーソナルコンピュータ等である。本実施の形態において情報処理装置２はサーバコンピュータであるものとし、サーバ２と読み替える。サーバ２は、ユーザのクレジットカードに係る決済処理を行い、各ユーザの端末１にクレジットカードの決済情報を送信する。
【００１９】
ＳＮＳサーバ３は、ＳＮＳの管理、運営に係る情報処理を行うためのサーバ装置である。ＳＮＳサーバ３は、各ユーザから投稿されたコメント、画像等の投稿情報を記憶し、各ユーザの端末１に投稿情報を配信する。
【００２０】
端末１は、制御部１１、記憶部１２、通信部１３、表示部１４、入力部１５、撮像部１６を含む。
制御部１１は、ＣＰＵ（Central Processing Unit）又はＭＰＵ（Micro-Processing   Unit）等の演算処理装置を含む。制御部１１は、記憶部１２に記憶されたプログラムＰを読み出して実行することにより、端末１に係る種々の情報処理又は制御処理等を行う。
【００２１】
記憶部１２は、ＲＡＭ（Random Access Memory）、ＲＯＭ（Read Only Memory）等のメモリ素子を含む。記憶部１２は、制御部１１が本実施の形態に係る処理を実行するために必要なプログラムＰ又はデータ等を記憶している。また、記憶部１２は、制御部１１が演算処理を実行するために必要なデータ等を一時的に記憶する。なお、プログラムＰは予め端末１にインストールされたものであっても、ネットワークＮを介してインストールされたものであってもよい。また、記憶部１２は個人ＤＢ１２１を記憶している。個人ＤＢ１２１は、ユーザのクレジットカードの決済情報と、該決済情報に基づいてＳＮＳに投稿した投稿情報とを対応付けて記憶している。
【００２２】
通信部１３は、例えばアンテナ及び通信処理を実行するために必要な処理回路等を含む。より詳しくは、例えば携帯電話網等により通信を行う。
【００２３】
表示部１４は、例えば液晶ディスプレイ又は有機ＥＬ（Electro Luminescence）ディスプレイ等の画面を有し、制御部１１から与えられた画像を表示する。
【００２４】
入力部１５は例えば、表示部１４に設けられたタッチパネル又は押下式のボタン等である。入力部１５は、ユーザによる操作入力を受け付ける。入力部１５は、ユーザによりなされた操作内容を制御部１１に通知する。
【００２５】
撮像部１６は、例えばＣＣＤ（Charge Coupled Device）カメラ等を含み、画像の撮像を行う。撮像された画像は図示しない画像処理回路によって処理され、記憶部１２に記憶される。
【００２６】
なお、本実施の形態において端末１は上記の構成に限られず、例えば音声の入出力を行うマイク及びスピーカ等を含んでもよい。
【００２７】
サーバ２は、制御部２１、記憶部２２、通信部２３、大容量記憶装置２４を含む。
制御部２１は、ＣＰＵ又はＭＰＵ等の演算処理装置を含む。制御部２１は、記憶部２２に記憶されたプログラムを読み出して実行することにより、サーバ２に係る種々の情報処理又は制御処理等を行う。
記憶部２２は、例えばＲＡＭ、ＲＯＭ等のメモリ素子を含む。記憶部２２は、制御部２１が処理を実行するために必要なプログラム又はデータ等を記憶している。また、記憶部２２は、制御部２１が演算処理を実行するために必要なデータ等を一時的に記憶する。
通信部２３は、例えば通信に関する処理を行うための処理回路等を含み、ネットワークＮを介して端末１等と情報の送受信を行う。
【００２８】
大容量記憶装置２４は、例えばハードディスク等を含む大容量の記憶装置である。大容量記憶装置２４は、決済ＤＢ２４１を記憶している。決済ＤＢ２４１は、各ユーザのクレジットカードに係る決済情報を記憶している。
なお、本実施の形態において記憶部２２及び大容量記憶装置２４は一体の記憶装置として構成されていてもよい。また、大容量記憶装置２４は複数の記憶装置により構成されていてもよい。また、大容量記憶装置２４はサーバ２に接続された外部記憶装置であってもよい。
【００２９】
なお、本実施の形態においてサーバ２は上記の構成に限られず、例えば操作入力を受け付ける入力部、サーバ２に係る情報を表示する表示部、可搬型記憶媒体に記憶された情報を読み取る読取部等を含んでもよい。
【００３０】
図２は、個人ＤＢ１２１のレコードレイアウトの一例を示す説明図である。個人ＤＢ１２１は、決済ＩＤ列、決済情報列、投稿ＩＤ列、投稿日時列、投稿画面列、コメント列、画像列、返信ＩＤ列、返信日時列、返信者列、返信コメント列、返信画像列、評価列を含む。決済ＩＤ列は、クレジットカードの決済情報を、クレジットカード利用機会毎に識別するためのＩＤである。決済情報列は、決済ＩＤと対応付けて、サーバ２から受信したクレジットカードの決済情報を記憶している。詳しくは図３で示す決済ＤＢ２４１において説明するが、決済情報はユーザのクレジットカードのカード番号、利用日時、支払金額等を含む。投稿ＩＤ列は、決済ＩＤと対応付けて、各決済情報に基づいてＳＮＳに投稿された投稿情報を識別するための投稿ＩＤを記憶している。投稿日時列は、投稿ＩＤと対応付けて、投稿情報を投稿した日時を記憶している。投稿画面列は、投稿ＩＤと対応付けて、後述する投稿画面に係るデータを記憶している。コメント列は、投稿ＩＤと対応付けて、投稿情報に含まれるコメントを記憶している。画像列は、投稿ＩＤと対応付けて、投稿情報に含まれる画像を記憶している。
【００３１】
返信ＩＤ列は、投稿ＩＤと対応付けて、投稿情報に対して他のユーザから返信された各返信情報を識別するためのＩＤを記憶している。返信日時列は、返信ＩＤと対応付けて、他のユーザが返信を行った日時を記憶している。返信者列は、返信ＩＤと対応付けて、返信を行った他のユーザの氏名を記憶している。返信コメント列は、返信ＩＤと対応付けて、返信情報に含まれるコメントを記憶している。返信画像列は、返信ＩＤと対応付けて、返信情報に含まれる画像を記憶している。評価列は、投稿ＩＤと対応付けて、投稿情報に対する他のユーザからの評価情報を記憶している。後述するように、例えば評価情報はＳＮＳにおいて表示される「いいね」の評価アイコンがクリックされた回数で表される。
【００３２】
図３は、決済ＤＢ２４１のレコードレイアウトの一例を示す説明図である。決済ＤＢ２４１は、カード番号列、氏名列、口座番号列、決済ＩＤ列、利用日時列、加盟店列、位置列、商品列、属性列、支払予定列、支払金額列、ＳＮＳアカウント列を含む。カード番号列は、ユーザのクレジットカードの番号を記憶している。氏名列は、カード番号と対応付けて、ユーザの氏名を記憶している。口座番号列は、カード番号及び氏名と対応付けて、ユーザの銀行口座の口座番号を記憶している。決済ＩＤ列は、カード番号等と対応付けて、クレジットカード利用ごとの決済ＩＤを記憶している。利用日時列は、決済ＩＤと対応付けて、ユーザがクレジットカードを利用した日時を記憶している。加盟店列は、決済ＩＤと対応付けて、当該日時にクレジットカードを利用した加盟店の名称を記憶している。位置列は、加盟店と対応付けて、当該加盟店の位置情報を記憶している。商品列は、決済ＩＤと対応付けて、ユーザが購入した商品又はサービスの名称を記憶している。なお、以下では簡潔のため、加盟店が提供する商品又はサービスを商品等と記す。属性列は、商品等と対応付けて、商品等の属性を記憶している。支払予定列は、決済ＩＤと対応付けて、当該商品等の購入代金の支払予定日を記憶している。支払金額列は、支払予定日と対応付けて、予定されている支払代金の金額を記憶している。ＳＮＳアカウント列は、氏名と対応付けて、ＳＮＳに係るユーザのアカウント情報を記憶している。
【００３３】
図４は、選択画面４０の一例を示す説明図である。以下では情報処理システムが実行する処理の概要について説明する。なお、以下では説明の便宜のため、端末１の処理主体は制御部１１であるものとし、サーバ２の処理主体は制御部２１であるものとする。
制御部１１は、端末１のホーム画面においてプログラムＰを示す所定のアイコンへのタッチ入力を受け付けた場合にプログラムＰを起動し、本実施の形態に係る処理を実行する。端末１の制御部１１は、プログラムＰの起動時に未取得であるクレジットカードの決済情報をサーバ２から受信し、個人ＤＢ１２１に記憶する。なお、制御部１１は、例えば定期的にサーバ２と通信を行い、決済情報を取得する構成としてもよい。制御部１１は、記憶部１２に記憶された決済情報を読み出し、図４に示す選択画面４０を表示する。選択画面４０は、ユーザのクレジットカードの決済情報４１、４１、４１…の一覧を示す画面である。決済情報４１は、例えばクレジットカードの利用日、利用した加盟店の名称、購入した商品等の名称、支払金額等を含む。
【００３４】
また、選択画面４０は、すでに投稿情報をＳＮＳに投稿済みである旨を示す「投稿済み」のテキストを含む決済情報４１ａを含む。詳しくは後述するが、当該決済情報４１ａについてすでに投稿情報を生成してＳＮＳサーバ３に送信済みである場合に、制御部１１は選択画面４０において当該決済情報４１ａを「投稿済み」のテキストと共に表示する。具体的に当該決済情報４１ａは、クレジットカードの利用日、利用した加盟店の名称等と共に、投稿済みの投稿情報に対する他のユーザからの評価数、返信コメント、返信画像等の返信情報６１をプレビューとして表示する。当該決済情報４１ａへのタッチ入力を受け付けた場合、制御部１１は投稿済みの投稿情報を、他のユーザからの返信情報と共に表示する処理を行う。当該処理について、詳しくは後述する。
【００３５】
制御部１１は、選択画面４０で表示する決済情報４１へのタッチ入力を受け付ける。これにより、制御部１１は決済情報の選択を受け付ける。いずれかの決済情報４１へのタッチ入力を受け付けた場合、制御部１１は、選択された決済情報に関連する関連情報を、インターネットを介して収集する。具体的には、制御部１１は決済情報が示す加盟店の名称、位置情報、商品等の名称などに基づき、汎用の検索エンジンを利用して関連する画像、テキスト等を検索する。関連情報は、加盟店の画像、商品等の画像、加盟店への交通経路、加盟店の広告、ホームページ、紹介記事、利用日の天気等を含む。例えば制御部１１は、加盟店の名称、商品等の名称などをキーワードとして検索を行い、上位に挙がる画像、テキスト、ＵＲＬ情報等を抽出する。なお、画像が複数抽出された場合は、利用日に近い画像（例えば利用日が冬季である場合は、冬季における加盟店の画像）を抽出してもよい。また、例えば制御部１１は加盟店の位置情報に基づいて検索を行い、加盟店の最寄り駅、当該最寄り駅から加盟店への経路等を抽出する。
【００３６】
図５は、投稿画面５０の一例を示す説明図である。関連情報を収集した制御部１１は、決済情報及び関連情報に基づいて図５に示す投稿画面５０を生成し、表示部１４に表示する。投稿画面５０は、ＳＮＳに投稿する画像であり、例えばクレジットカードの利用日時、利用した加盟店の名称、位置情報、購入した商品等の名称、加盟店の画像、商品等の画像などを含む。
【００３７】
さらに投稿画面５０は、ユーザがコメントを入力するためのコメント入力欄５１と、画像を入力するための画像入力欄５２とを含む。コメント入力欄５１は、ユーザのコメントに係るテキスト入力を受け付けるための入力欄である。制御部１１は、コメント入力欄５１への操作入力に基づき、ユーザによるコメントの入力を受け付ける。
画像入力欄５２は、ユーザによる画像の入力を受け付けるための入力欄である。例えば制御部１１は、画像入力欄５２へのタッチ入力を受け付けた場合に、記憶部１２を参照し、撮像部１６により撮像された画像の入力を受け付ける。なお、画像入力欄５２に入力される画像は撮像部１６により撮像された画像でなくともよい。
【００３８】
なお、制御部１１は、コメント入力欄５１に入力されたコメントに基づいて関連情報を収集してもよい。例えば制御部１１は、コメント入力欄５１に「加盟店の画像は」との入力を受け付けた場合、決済情報に関連する「加盟店の画像」を収集し、表示する。また、例えば制御部１１は、コメント入力欄５１に「加盟店への交通経路は」との入力を受け付けた場合、決済情報に関連する「加盟店への交通経路」を収集し、表示する。
【００３９】
制御部１１は投稿画面５０の上部に、各種ＳＮＳを示す投稿アイコン５３を表示する。投稿アイコン５３は、表示中の投稿画面５０をＳＮＳに投稿するためのアイコンであり、例えばツイッター（登録商標）、フェイスブック（登録商標）、ＬＩＮＥ（登録商標）等を示す。投稿アイコン５３への操作入力を受け付けた場合、制御部１１は表示中の投稿画面５０をソーシャルネットワーク上に出力する。詳しくは、制御部１１は入力されたコメント、画像を含む投稿画面５０を、ＳＮＳサーバ３に送信する。また、制御部１１は、当該投稿画面５０を個人ＤＢ１２１に記憶する。
【００４０】
図６は、ＳＮＳ画面６０の一例を示す説明図である。端末１が投稿情報をＳＮＳサーバ３に送信した場合、図６に示すように、投稿画面５０がＳＮＳに係るコミュニティー上に出力される。これにより、ＳＮＳを閲覧する閲覧者は、投稿者であるユーザの決済情報だけでなく、加盟店に関連する関連情報、商品等を購入したユーザによるコメント等を参照してコミュニケーションを取ることができる。
【００４１】
端末１の制御部１１はＳＮＳ画面６０において、投稿画面５０の下部に、他のユーザからの返信情報６１を表示する。返信情報６１は、他のユーザから投稿された返信コメント又は返信画像を含むメッセージである。他のユーザに係る端末１は返信コメント又は返信画像の入力を受け付け、当該返信コメント、返信画像等を含む返信情報をＳＮＳサーバ３に送信する。各端末１の制御部１１はＳＮＳ画面６０を表示する場合に、当該返信情報をＳＮＳサーバ３から取得して表示部１４に表示する。これにより、図６に示すようにソーシャルネットワーク上に返信情報６１が出力される。
【００４２】
端末１の制御部１１はさらに、ＳＮＳ画面６０において評価アイコン６２を表示する。評価アイコン６２は例えば「いいね」のテキストを含む所定のアイコンであり、他のユーザからの評価を受け付けるためのアイコンである。評価アイコン６２へのクリック数は、ＳＮＳサーバ３が集計する。各端末１の制御部１１はＳＮＳ画面６０を表示する場合に、ＳＮＳサーバ３から当該集計数を示す評価情報を取得して表示部１４に表示する。
【００４３】
端末１の制御部１１は、図５で説明した投稿画面５０に、当該投稿画面５０に対する他のユーザからの返信情報、及び他のユーザからの評価情報を反映させて表示する処理を行う。具体的には、図４で例示した選択画面４０において投稿済みの決済情報４１ａへのタッチ入力を受け付けた場合に、制御部１１はＳＮＳサーバ３にアクセスし、他のユーザからの返信情報を受信する。返信情報は、他のユーザによりクリック入力された評価情報（「いいね」の数）、他のユーザから投稿された返信コメント、返信画像等を含む。制御部１１は、受信した返信情報を個人ＤＢ１２１に記憶する。なお、例えば制御部１１は定期的にＳＮＳサーバ３と通信を行い、返信情報を取得するようにしてもよい。制御部１１は選択された決済情報４１ａに係る投稿画面５０を、返信情報６１と共に表示する。
【００４４】
図７は、投稿済みの投稿画面５０ａの一例を示す説明図である。投稿済みの決済情報４１ａへのタッチ入力を受け付けた場合、制御部１１は個人ＤＢ１２１を参照し、図７に示す投稿画面５０ａを表示する。制御部１１は投稿画面５０ａにおいて、投稿時に受け付けたコメント及び画像のほかに、他のユーザからの評価情報、返信コメント、返信画像を含む返信情報６１を表示する。これによりユーザは、投稿画面５０ａを生成したプログラムＰに係るアプリケーション内で、当該投稿画面５０ａに関する他のユーザからの返信情報６１を閲覧することができる。
【００４５】
図８は、端末１の処理手順の一例を示すフローチャートである。図８に基づいて、端末１が実行する処理内容について説明する。
端末１のホーム画面において所定の操作入力を受け付けた場合に、端末１の制御部１１はプログラムＰを起動し、以下の処理を実行する。制御部１１は、未取得であるクレジットカードの決済情報をサーバ２から受信し、個人ＤＢ１２１に記憶する（ステップＳ１１）。制御部１１は、決済情報の選択を受け付ける選択画面４０を表示する（ステップＳ１２）。制御部１１は、当該選択画面４０へのタッチ入力に基づき、決済情報の選択を受け付ける（ステップＳ１３）。
【００４６】
制御部１１は、選択された決済情報についてすでに投稿情報をＳＮＳに投稿済みであるか否かを判定する（ステップＳ１４）。具体的には、制御部１１は個人ＤＢ１２１を参照し、選択された決済情報と対応付けて投稿情報を記憶しているか否かを判定する。
【００４７】
投稿済みでないと判定した場合（Ｓ１４：ＮＯ）、制御部１１は選択された決済情報を個人ＤＢ１２１から読み出し、当該決済情報と関連する関連情報を、インターネットを介して収集する（ステップＳ１５）。具体的には、制御部１１は決済情報が示す加盟店の名称、位置情報、商品等の名称などに基づき、インターネットを介して提供される汎用の検索エンジンに対し、関連する画像、テキスト等の検索処理を要求する。制御部１１は、当該検索エンジンにより検索された関連情報を取得する。関連情報は、加盟店の画像、商品等の画像、加盟店への交通経路、加盟店の広告、ホームページ、紹介記事等を含む。制御部１１は、取得した当該関連情報のうち、検索エンジンにおいて上位に挙げられた画像、テキスト、ＵＲＬ情報等の関連情報を抽出する。また、例えば制御部１１は加盟店の最寄り駅、当該最寄り駅から加盟店への経路等の関連情報を抽出する。
【００４８】
制御部１１は、記憶部１２から読み出した決済情報、及び収集した関連情報に基づき、ＳＮＳに投稿する投稿画面５０を生成して表示部１４に表示する（ステップＳ１６）。投稿画面５０は、例えばクレジットカードの利用日時、利用した加盟店の名称、位置情報、購入した商品等の名称、加盟店の画像、商品等の画像、加盟店の広告、紹介記事等を含む。さらに投稿画面５０は、ユーザによるコメントの入力を受け付けるためのコメント入力欄５１、及び画像の入力を受け付けるための画像入力欄５２を含む。
【００４９】
制御部１１は、コメント入力欄５１に対するコメントの入力を受け付ける（ステップＳ１７）。制御部１１は、画像入力欄５２に対する画像の入力を受け付ける（ステップＳ１８）。制御部１１は、投稿画面５０をＳＮＳに投稿するか否かを判定する（ステップＳ１９）。例えば制御部１１は、各種ＳＮＳを示す投稿アイコン５３へのタッチ入力を受け付けたか否かにより判定を行う。
【００５０】
投稿しないと判定した場合（Ｓ１９：ＮＯ）、制御部１１は処理をステップＳ１７に戻す。投稿すると判定した場合（Ｓ１９：ＹＥＳ）、制御部１１は、ステップＳ１６で生成した投稿画面５０をＳＮＳサーバ３に送信し、当該投稿画面５０をソーシャルネットワーク上に出力する（ステップＳ２０）。制御部１１は、出力した投稿画面５０に係る情報を個人ＤＢ１２１に記憶する（ステップＳ２１）。
【００５１】
選択された決済情報について投稿済みであると判定した場合（Ｓ１４：ＹＥＳ）、制御部１１はＳＮＳサーバ３と通信を行い、選択された決済情報に係る投稿画面５０ａに対する他のユーザからの返信情報を受信し、個人ＤＢ１２１に記憶する（ステップＳ２２）。具体的に返信情報は、他のユーザによる「いいね」のクリック数である評価情報、他のユーザから返信された返信コメント、返信画像等を含む。制御部１１は個人ＤＢ１２１を参照し、返信情報６１と共に投稿画面５０ａを表示する（ステップＳ２３）。ステップＳ２１又はＳ２３の処理を実行した後で、制御部１１は一連の処理を終了する。
【００５２】
なお、図５において端末１はソーシャルネットワーク上に出力する最終的な投稿画面５０そのものを表示することとしたが、本実施の形態はこれに限るものではなく、コメント、画像等の入力を受け付ける段階で表示する画面はより簡易的な内容であってもよい。また、各種ＳＮＳで出力される情報は、図５で示した投稿画面５０に限定されるものではなく、各種ＳＮＳの仕様に応じてカスタマイズされる構成であってもよい。つまり端末１は、決済情報及び関連情報に基づき生成した情報（投稿情報）をソーシャルネットワーク上に出力可能であればよい。
【００５３】
また、上記で端末１はＳＮＳサーバ３から返信情報を取得するものとしたが、本実施の形態はこれに限るものではない。例えばサーバ２がＳＮＳサーバ３から投稿情報及び返信情報を取得して大容量記憶装置２４に記憶しておき、端末１はサーバ２から返信情報を取得する構成としてもよい。これにより本実施の形態に係る処理が可能になると共に、クレジットカードの決済情報に基づくＳＮＳへの投稿履歴がサーバ２に記憶され、各加盟店に有益な情報を提供可能となる。
【００５４】
また、上記で端末１はクレジットカードの決済情報をサーバ２から取得することとしたが、本実施の形態はこれに限るものではない。例えば端末１は、クレジットカードの加盟店に設置される所定のリーダ／ライタ装置と近距離無線通信を行い、決済情報を取得することとしてもよい。なお、この場合の通信方式はＮＦＣ（Near Field Communication）等の近距離無線通信に限定されず、Ｗｉ−Ｆｉ（登録商標）等の無線通信であってもよい。上記のように、端末１が決済情報を取得する取得先はサーバ２でなくともよい。つまり端末１は、クレジットカードに係る決済情報を外部から取得可能であればよい。
【００５５】
また、上記で端末１は投稿画面５０においてコメント入力欄５１を表示し、ユーザのコメント入力を受け付けることとしたが、本実施の形態はこれに限るものではない。例えばサーバ２は、クレジットカードに係る決済処理を完了した場合、決済処理が完了した旨の確認のメールを端末１に送信する。当該メールを受信した場合、端末１はユーザによる操作入力に従い、コメントを含む返信メールの送信を行う。当該返信メールを受信した場合、サーバ２は返信メールに含まれるコメントを、ユーザの決済情報と対応付けて決済ＤＢ２４１に記憶する。端末１は、決済情報と共に返信メールにおいて入力されたコメントを取得する。そして端末１は、投稿画面５０を表示する場合、空白のコメント入力欄５１ではなく、返信メールにおいてユーザが事前に入力しておいたコメントを併せて表示する。これにより、ユーザがクレジットカード利用後に入力しておいたコメントを流用することができる。
【００５６】
以上より、本実施の形態１によれば、ユーザはクレジットカードの決済情報をコミュニケーションツールとしてＳＮＳへの投稿を行うことができる。
【００５７】
また、本実施の形態１によれば、ユーザは投稿済みの投稿情報に対する他のユーザからの返信情報６１を簡単に閲覧することができる。
【００５８】
また、本実施の形態１によれば、ユーザは投稿画面５０にコメント及び画像を付加することにより、例えばクレジットカードを利用した加盟店に関するレビュー、レコメンド、ユーザが撮像した商品等の画像などをＳＮＳに投稿することができる。また、ユーザは返信情報６１に含まれる返信コメント及び返信画像を閲覧することで、他のユーザの反応を簡単に把握することができる。
【００５９】
また、本実施の形態１によれば、投稿済みの投稿画面５０ａに評価情報を反映させることで、ユーザは自己の投稿に対する反響を簡単に把握することができる。
【００６０】
（実施の形態２）
実施の形態２では、各ユーザの決済情報の類似性を利用してＳＮＳに係るコミュニケーションを促進する形態について述べる。なお、実施の形態１と重複する内容については同一の符号を付して説明を省略する。
【００６１】
本実施の形態において端末１の制御部１１は、図４で示した選択画面４０において投稿済みの決済情報４１ａへのタッチ入力を受け付けた場合に、当該決済情報と類似性を有する決済情報に係る他のユーザの情報を検索する処理をサーバ２に要求する。
【００６２】
当該検索要求を受信した場合に、サーバ２の制御部２１は類似性を有する決済情報に係る他のユーザを検索する処理を実行する。決済情報の類似性は、例えば決済ＤＢ２４１に記憶されている商品等の名称、属性、支払金額、加盟店の位置情報等を比較することで判断する。制御部２１は検索処理を実行し、類似する決済情報に係る他のユーザの氏名、アカウント情報等を取得する。制御部２１は、取得した他のユーザの氏名、アカウント情報等を含む検索結果を端末１に送信する。
【００６３】
図９は、実施の形態２に係る投稿済みの投稿画面５０ａの一例を示す説明図である。サーバ２から検索結果を受信した場合に、端末１の制御部１１は図９に示す画面を表示する。具体的に制御部１１は、属性欄２６３等を含む返信情報６１、及び一又は複数の検索ユーザ欄２５５を含む検索表示欄２５４を投稿画面５０ａに表示する。
【００６４】
検索表示欄２５４は、サーバ２により検索された他のユーザに関する情報を表示するための表示欄である。図９に示すように、制御部１１はサーバ２から受信した検索結果を検索表示欄２５４に表示する。具体的に制御部１１は、受信した検索結果に基づき、検索された他のユーザの情報を各検索ユーザ欄２５５に表示する。検索ユーザ欄２５５は、投稿画面５０ａに係る決済情報４１ａと類似する決済情報に係る他のユーザについて、氏名、アカウント情報等を簡易表示するための個別表示欄である。検索ユーザ欄２５５へのタッチ入力を受け付けた場合、制御部１１は図６と同様のＳＮＳ画面６０に遷移し、当該他のユーザとＳＮＳ上の交流を行うことができる。なお、検索ユーザ欄２５５へのタッチ入力を受け付けた場合、例えば制御部１１は投稿画面５０ａに対する当該他のユーザからの返信のリクエスト要求を行ってもよい。この場合、例えば制御部１１は所定の要求信号を、ＳＮＳサーバ３を介して当該他のユーザの端末１に送信する。要求信号を受信した場合、当該他のユーザの端末１は返信情報の入力、送信等の操作処理を受け付ける。これにより、決済情報に基づくユーザ間のコミュニケーションを支援することができる。
【００６５】
また、属性欄２６３は、投稿済みの投稿画面５０ａに対する返信を行った各ユーザが、当該投稿画面５０ａに係る決済情報４１ａと類似する決済情報を有するユーザであるか否かを表示するための表示欄である。例えば制御部１１は、サーバ２から受信した検索結果に基づき、返信情報を送信した各ユーザについて決済情報に係る類似性の有無を判別する。制御部１１は、類似性の有無に応じて、各ユーザの返信情報をグループ分けして表示する。例えば制御部１１は図９に示すように、「靴」の購入履歴があるユーザの返信情報は「靴愛好家」の属性欄２６３と共に、「靴」の購入履歴がないユーザの返信情報は「一般意見」の属性欄２６３と共に表示する。これによってユーザは、他のユーザからの返信コメント等について、自らと趣味、嗜好等が共通するユーザによるものであるか否かを簡単に識別することができる。
【００６６】
図１０は、実施の形態２に係る投稿済みの投稿画面５０ａの他例を示す説明図である。サーバ２から検索結果を受信した場合、制御部１１は図９に示す表示形式だけでなく、図１０に示す表示形式で投稿画面５０ａを表示してもよい。例えば制御部１１は検索表示欄２５４において、検索ユーザ欄２５５ではなく、類似投稿欄２５５ａを表示する。類似投稿欄２５５ａは、検索された他のユーザが、当該投稿画面５０ａに係る決済情報４１ａと類似する決済情報について投稿した投稿情報を簡易表示する個別表示欄である。上述のごとく、端末１はサーバ２に対して他のユーザの検索処理を要求する。当該要求を受け付けた場合、例えばサーバ２の制御部２１は、類似性を有すると判断した他のユーザの投稿情報についてＳＮＳサーバ３に出力要求を行い、類似性の判断基準とした決済情報４１ａと類似する決済情報について当該他のユーザがすでに投稿済みの投稿情報、例えば商品等が類似する投稿情報を取得する。制御部２１は、取得した投稿情報を検索結果と共に端末１へ送信する。当該投稿情報を受信した場合、端末１の制御部１１は図１０に示す類似投稿欄２５５ａを表示する。類似投稿欄２５５ａへのタッチ入力を受け付けた場合、例えば制御部１１は当該類似投稿欄２５５ａに係るＳＮＳ画面６０に遷移する。これにより、ユーザは自らが投稿した投稿画面５０ａから、当該投稿画面５０ａと類似する他のユーザの投稿画面５０ａへとアクセスすることができる。
【００６７】
また、例えば制御部１１は属性欄２６３ではなく、属性マーク２６３ａを返信情報６１に付して表示する。属性マーク２６３ａは、返信を行った他のユーザについて決済情報に係る属性を示すマークである。制御部１１は各ユーザの返信情報と対応付けて属性マーク２６３ａを表示することで、返信者である他のユーザが、投稿者であるユーザと決済情報の類似性を有するか否かを識別可能とすることとしてもよい。すなわち制御部１１は、決済情報の類似性を有する他のユーザの返信情報を、類似性を有しない他のユーザの返信情報と識別可能に表示することができればよい。
【００６８】
図１１は、実施の形態２に係る端末１の処理手順の一例を示すフローチャートである。図１１に基づいて、本実施の形態に係る端末１が実行する処理手内容について説明する。
ステップＳ１３で選択された決済情報についてすでに投稿情報を投稿済みであると判定した場合（Ｓ１４：ＹＥＳ）、端末１の制御部１１は以下の処理を実行する。制御部１１はＳＮＳサーバ３と通信を行い、ステップＳ１３で選択された決済情報に係る投稿画面５０ａに対する他のユーザからの返信情報を受信し、個人ＤＢ１２１に記憶する（ステップＳ２０１）。
【００６９】
端末１の制御部１１は、選択された決済情報と類似性を有する決済情報に係る他のユーザの情報を検索する処理をサーバ２に要求する（ステップＳ２０２）。具体的には、制御部１１はユーザの決済情報に係る商品等の名称、商品等の属性、支払金額、加盟店の位置情報等と類似性を有する決済情報に係る他のユーザを検索する処理をサーバ２に要求する。当該要求を受け付けた場合、サーバ２の制御部２１は、決済ＤＢ２４１から類似する決済情報に係る他のユーザを検索する。制御部２１は、検索したユーザの氏名、アカウント情報等の検索結果を決済ＤＢ２４１から読み出し、端末１に送信する。なお、前述の類似投稿欄２５５ａを投稿画面５０ａに反映させる形態の場合、例えば制御部２１は併せてＳＮＳサーバ２への出力要求を行い、ステップＳ１３で選択された決済情報と類似する決済情報に係る当該他のユーザの投稿情報を取得する。制御部２１は、取得した投稿情報を併せて端末１に送信する。端末１の制御部１１は、ステップＳ２０２の検索要求に対する検索結果をサーバ２から受信する（ステップＳ２０３）。
【００７０】
制御部１１は個人ＤＢ１２１を参照し、他のユーザからの返信コメント等を示す返信情報６１、検索結果を示す検索表示欄２５４と共に投稿画面５０ａを表示する（ステップＳ２０４）。例えば制御部１１は、検索結果を示す検索ユーザ欄２５５又は類似投稿欄２５５ａを検索表示欄２５４に表示する。また、例えば制御部１１は検索結果に応じた属性欄２６３又は属性マーク２６３ａを返信情報６１に付して表示する。例えば検索ユーザ欄２５５へのタッチ入力を受け付けた場合、制御部１１は検索ユーザ欄２５５で示される他のユーザの端末１に対してコメントのリクエスト要求等の処理を行う。類似投稿欄２５５ａへのタッチ入力を受け付けた場合、制御部１１は類似投稿欄２５５ａで示される他のユーザのＳＮＳ画面６０にアクセスする。制御部１１は、一連の処理を終了する。
【００７１】
なお、上記で端末１は投稿画面５０ａに決済情報４１ａの類似性を有する他のユーザの情報を反映させることとしたが、本実施の形態はこれに限るものではない。例えば端末１は、投稿画面５０をＳＮＳに出力する場合、類似する決済情報に係る他のユーザのみからＳＮＳ上での返信を受け付けることとしてもよい。この場合、例えば端末１は投稿画面５０をＳＮＳに出力する際に、決済情報の類似性を返信要件（例えばフェイスブックの公開範囲）として投稿情報に付加してＳＮＳに出力する。ＳＮＳサーバ３は、他のユーザから返信情報を受信した場合、各ユーザの決済情報を記憶したサーバ２と通信を行い、決済情報の類否に係る照合結果を取得する。当該照合結果に基づき当該他のユーザが決済情報について類似性を有しないと判定した場合、ＳＮＳサーバ３は当該他のユーザからの返信情報を受け付けないこととする。上記によれば、決済情報について類似性を有するユーザ同士で交流が行われることになり、決済情報に応じたＳＮＳでのコミュニティーが形成される。
【００７２】
以上より、本実施の形態２によれば、趣味、嗜好が似た購買履歴を持つユーザ同士の交流促進を期待することができる。
【００７３】
（実施の形態３）
本実施の形態では、投稿済みの投稿画面５０ａを表示する場合に、決済情報に係る商品又はサービスと類似する商品又はサービスを提供する加盟店の広告情報を併せて表示する形態について述べる。なお、実施の形態１と重複する内容については同一の符号を付して説明を省略する。
【００７４】
図１２は、実施の形態３に係る情報処理システムの構成例を示す模式図である。本実施の形態に係るサーバ２の大容量記憶装置２４は、決済ＤＢ２４１のほかに、広告ＤＢ２４２を記憶している。広告ＤＢ２４２は、クレジットカードの加盟店の広告情報を記憶している。
【００７５】
図１３は、実施の形態３に係る広告ＤＢ２４２のレコードレイアウトの一例を示す説明図である。広告ＤＢ２４２は、加盟店列、属性列、位置列、広告列、リンク列を含む。加盟店列は、クレジットカードの加盟店の名称を記憶している。属性列は、加盟店と対応付けて、当該加盟店が提供する商品等の属性を記憶している。位置列は、加盟店と対応付けて、加盟店の位置情報を記憶している。広告列は、加盟店と対応付けて、例えばバナー広告として表示する画像を記憶している。リンク列は、加盟店と対応付けて、ハイパーリンクに係るＵＲＬ情報を記憶している。
【００７６】
本実施の形態において端末１の制御部１１は、図４で示した選択画面４０において投稿済みの決済情報４１ａへのタッチ入力を受け付けた場合に、当該決済情報に係る商品等と類似する商品等を提供する加盟店の広告情報の送信をサーバ２に要求する。具体的には、制御部１１は当該決済情報を識別するための決済ＩＤ等を含む要求信号を生成し、サーバ２に送信する。
【００７７】
サーバ２の制御部２１は、要求信号を受信する。制御部２１は要求信号を読み出し、決済ＤＢ２４１から上記の決済情報を取得する。そして制御部２１は、当該決済情報に係る商品等と類似する商品等を提供する加盟店の広告情報を端末１に送信する。広告情報は、例えば加盟店の名称、位置情報、バナー広告に係る画像、インターネット上で加盟店のホームページに遷移するためのＵＲＬ情報等を含む。例えば制御部２１は、決済ＤＢ２４１から取得した決済情報に含まれる商品等に基づき、広告ＤＢ２４２を参照し、属性が同一又は類似する商品等を提供する加盟店の広告情報を取得する。なお、例えば制御部２１は商品等の属性だけでなく、加盟店の位置情報等を含めて類似性を判断することとしてもよい。制御部２１は、取得した広告情報を端末１に送信する。
【００７８】
図１４は、実施の形態３に係る投稿済みの投稿画面５０ａの一例を示す説明図である。端末１の制御部１１はサーバ２から広告情報を受信し、図１４に示す投稿画面５０ａを表示部１４に表示する。制御部１１は、投稿画面５０ａにおいて一部に広告情報３５５を表示する。これにより端末１は、ユーザの購買活動に応じた広告を表示可能となる。
【００７９】
図１５は、実施の形態３に係る端末１の処理手順の一例を示すフローチャートである。図１５に基づいて、本実施の形態に係る端末１が実行する処理内容について説明する。
ステップＳ１３で選択された決済情報についてすでに投稿情報を投稿済みであると判定した場合（Ｓ１４：ＹＥＳ）、端末１の制御部１１は以下の処理を実行する。制御部１１はＳＮＳサーバ３と通信を行い、ステップＳ１３で選択された決済情報に係る投稿画面５０ａに対する他のユーザからの返信情報を受信し、個人ＤＢ１２１に記憶する（ステップＳ３０１）。
【００８０】
制御部１１は、選択された決済情報に係る商品又はサービスと類似する商品又はサービスを提供するクレジットカードの加盟店の広告情報を送信すべき旨の送信要求を、サーバ２に送信する（ステップＳ３０２）。具体的に制御部１１は、選択された決済情報を識別するための決済ＩＤ等を含む要求信号を生成し、サーバ２に送信する。当該要求信号を受信したサーバ２の制御部２１は、要求信号を読み出して該当する決済情報を決済ＤＢ２４１から取得する。制御部２１は、広告ＤＢ２４２を参照し、取得した決済情報に係る商品又はサービスと属性が同一又は類似する商品又はサービスを提供する加盟店の広告情報を取得する。広告情報は、例えば加盟店の名称、位置情報、バナー広告に係る画像、ＵＲＬ情報等を含む。制御部２１は、当該広告情報を決済情報と共に端末１に送信する。端末１の制御部１１は、サーバ２から広告情報を受信する（ステップＳ３０３）。
【００８１】
制御部１１は個人ＤＢ１２１を参照し、返信情報６１、広告情報３５５と共に投稿画面５０ａを表示し（ステップＳ３０４）、一連の処理を終了する。
【００８２】
なお、広告情報に係るリンク先は加盟店のホームページに限定されるものではなく、例えば加盟店を紹介する所定のウェブサイト、加盟店の商品等を提供するオンラインストア等であってもよい。
【００８３】
以上より、本実施の形態３によれば、クレジットカードの決済情報を活用して、類似する商品又はサービスを提供する加盟店の広告をユーザに通知可能となる。
【００８４】
（実施の形態４）
実施の形態１では、一連の処理をスマートフォンのアプリケーションにより行う形態について述べた。本実施の形態では、一連の処理をウェブブラウザ上で行う形態について述べる。なお、実施の形態１と重複する内容については同一の符号を付して説明を省略する。
【００８５】
図１６は、実施の形態４に係る情報処理システムの構成例を示す模式図である。本実施の形態に係る端末１は、スマートフォンではなく、パーソナルコンピュータであるものとして説明する。また、サーバ２の大容量記憶装置２４は、決済ＤＢ２４１のほかに投稿ＤＢ２４３を記憶している。投稿ＤＢ２４３は、クレジットカードの会員である各ユーザが決済情報に基づいてＳＮＳに投稿した投稿情報、及び該投稿情報に対する他のユーザからの返信情報を、決済情報と対応付けて記憶している。
【００８６】
図１７は、実施の形態４に係る投稿ＤＢ２４３のレコードレイアウトの一例を示す説明図である。投稿ＤＢ２４３は、例えば決済ＩＤ列、投稿ＩＤ列、投稿日時列、投稿者列、投稿画面列、コメント列、画像列、返信ＩＤ列、返信日時列、返信者列、返信コメント列、返信画像列、評価列を含む。各列の記憶内容は個人ＤＢ１２１の記憶内容とほぼ同様であるので、詳細な説明は省略する。なお、投稿者列は、投稿ＩＤと対応付けて、投稿者であるユーザの氏名を記憶している。図１７に示すように、投稿ＤＢ２４３は投稿日時、投稿画面等の投稿情報と、返信日時、返信コメント、評価情報等の返信情報とを、決済情報（決済ＩＤ）と対応付けて記憶している。
サーバ２の制御部２１は、例えばＳＮＳサーバ３と通信を行って投稿情報及び返信情報を取得し、投稿ＤＢ２４３に記憶しておく。
【００８７】
図１８及び図１９は、実施の形態４に係るブラウザ画面の一例を示す説明図である。本実施の形態に係る端末１は、ウェブブラウザにおいて選択画面４０、投稿画面５０、ＳＮＳ画面６０、及び投稿済みの投稿画面５０ａを表示する。図１８Ａは選択画面４０を、図１８Ｂは投稿画面５０を、図１９ＡはＳＮＳ画面６０を、図１９Ｂは投稿済みの投稿画面５０ａを示している。なお、各画面に係る内容は図４〜図７で示した内容とほぼ同様であるため、同一の符号を付して説明を省略する。
【００８８】
本実施の形態に係る情報処理システムは、実施の形態１と同様の処理を、ウェブブラウザ上で実行する。具体的には、端末１の制御部１１はプログラムＰを起動した場合に、選択画面４０の送信をサーバ２に要求する。サーバ２の制御部２１は決済ＤＢ２４１を参照して選択画面４０を生成し、端末１に送信する。端末１の制御部１１は選択画面４０を表示し、決済情報４１の選択を受け付ける。制御部１１は、受け付けた決済情報４１に係る投稿情報の送信をサーバ２に要求する。
【００８９】
投稿情報の送信要求を受けたサーバ２の制御部２１は、決済ＤＢ２４１を参照し、端末１で選択された決済情報を取得する。また、制御部２１は当該決済情報に関連する関連情報を、インターネットを介して収集する。制御部２１は、決済情報及び関連情報に基づき、投稿画面５０を生成する。制御部２１は、生成した投稿画面５０を含む情報を端末１に送信する。端末１の制御部１１は投稿画面５０をウェブブラウザにおいて表示し、コメント及び画像の入力を受け付け、ソーシャルネットワーク上に出力する処理を実行する。
【００９０】
また、端末１で選択された決済情報についてすでに投稿情報をＳＮＳに投稿済みであると判断した場合に、制御部２１は投稿ＤＢ２４３を参照し、返信情報６１を含む投稿画面５０ａを生成する。制御部２１は、生成した投稿画面５０ａを端末１に送信する。端末１の制御部１１は、サーバ２から当該投稿画面５０ａを受信する。制御部１１は、返信情報６１を含む投稿画面５０ａを表示する。
【００９１】
図２０は、実施の形態４に係るサーバ２の処理手順の一例を示すフローチャートである。図２０に基づいて、本実施の形態に係るサーバ２が実行する処理内容について説明する。
サーバ２の制御部２１は、選択画面４０の送信要求を端末１から受信する（ステップＳ５０１）。制御部２１は決済ＤＢ２４１を参照し、選択画面４０を生成して端末１に送信する（ステップＳ５０２）。制御部２１は、投稿画面５０の送信要求を受信する（ステップＳ５０３）。具体的には、端末１の制御部１１は選択画面４０へのタッチ入力に基づき、決済情報４１の選択を受け付ける。制御部１１は選択された決済情報４１に基づいて生成される投稿画面５０を送信すべき旨の送信要求をサーバ２に送信する。サーバ２の制御部２１は、当該送信要求を受信する。
【００９２】
制御部２１は、要求された投稿画面５０について、すでにＳＮＳに投稿済みであるか否かを判定する（ステップＳ５０４）。具体的には、制御部２１は投稿ＤＢ２４３に、要求された投稿画面５０に係る情報がすでに記憶されているか否かを判定する。投稿済みでないと判定した場合（Ｓ５０４：ＮＯ）、制御部２１は送信要求に係る決済情報を決済ＤＢ２４１から取得する（ステップＳ５０５）。制御部２１は、取得した決済情報に関連する関連情報を、インターネットを介して取得する（ステップＳ５０６）。制御部２１は、決済情報及び関連情報に基づいて投稿画面５０を生成し、端末１に送信する（ステップＳ５０７）。これにより端末１は、表示部１４に投稿画面５０を表示し、ユーザによる操作入力に従ってＳＮＳへの投稿を行う。制御部２１は生成した投稿画面５０を投稿ＤＢ２４３に記憶し（ステップＳ５０８）、一連の処理を終了する。
【００９３】
端末１から要求された投稿画面５０ａについてすでに投稿済みであると判定した場合（Ｓ５０４：ＹＥＳ）、制御部２１はＳＮＳサーバ３と通信を行い、当該投稿画面５０ａに対する他のユーザからの返信情報を受信し、投稿画面５０ａと対応付けて投稿ＤＢ２４３に記憶する（ステップＳ５０９）。なお、例えば制御部２１は定期的にＳＮＳサーバ３にアクセスし、返信情報を取得するようにしてもよい。制御部２１は投稿ＤＢ２４３を参照し、返信情報６１を含む投稿画面５０ａを生成し、端末１に送信する（ステップＳ５１０）。これにより端末１は、他のユーザからの返信情報を含む投稿画面５０ａを表示する。制御部２１は一連の処理を終了する。
【００９４】
以上より、本実施の形態４によれば、ウェブブラウザ上で実施の形態１と同様の処理を実現することができる。
【００９５】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００９６】
１  端末（情報処理端末）
１１  制御部
１２  記憶部
Ｐ  プログラム
１２１  個人ＤＢ
１３  通信部
１４  表示部
１５  入力部
１６  撮像部
２  サーバ（情報処理装置）
２１  制御部
２２  記憶部
２３  通信部
２４  大容量記憶装置
２４１  決済ＤＢ
２４２  広告ＤＢ
２４３  投稿ＤＢ
３  ＳＮＳサーバ
４０  選択画面
４１、４１ａ  決済情報
５０、５０ａ  投稿画面
５１  コメント入力欄
５２  画像入力欄
５３  投稿アイコン
２５４  検索表示欄
２５５  検索ユーザ欄
２５５ａ  類似投稿欄
３５５  広告情報
６０  ＳＮＳ画面
６１  返信情報
６２  評価アイコン
２６３  属性欄
２６３ａ  属性マーク
【図１】
0006713331.tif 000002
【図２】
0006713331.tif 000003
【図３】
0006713331.tif 000004
【図４】
0006713331.tif 000005
【図５】
0006713331.tif 000006
【図６】
0006713331.tif 000007
【図７】
0006713331.tif 000008
【図８】
0006713331.tif 000009
【図９】
0006713331.tif 000010
【図１０】
0006713331.tif 000011
【図１１】
0006713331.tif 000012
【図１２】
0006713331.tif 000013
【図１３】
0006713331.tif 000014
【図１４】
0006713331.tif 000015
【図１５】
0006713331.tif 000016
【図１６】
0006713331.tif 000017
【図１７】
0006713331.tif 000018
【図１８】
0006713331.tif 000019
【図１９】
0006713331.tif 000020
【図２０】
0006713331.tif 000021